(57)【要約】【課題】画像形成を行うフォームデータの選択の手間を省くことである。【解決手段】画像形成装置１は、操作部５０からの操作指示と表示部６０に表示される設定登録画面とに基づいて記憶部８０に記憶される設定情報を更新し、用紙の紙種及び紙種に対応するフォーム画像データを登録する登録手段と、画像形成すべき画像データ（入力画像データ）に基づいて登録手段により登録された紙種で画像形成する際に、当該紙種に対応付けて登録されたフォーム画像データに基づいて、用紙にフォーム画像を形成させるように制御する制御手段である制御部４０と、を備える。【選択図】図２
2008290368.tif 000002
【特許請求の範囲】
【請求項１】
入力画像データに基づいて用紙に画像形成する画像形成装置において、
前記用紙の紙種及び当該紙種に対応するフォーム画像データを登録する登録手段と、
前記入力画像データに基づいて前記登録手段により登録された紙種で画像形成する際に、当該紙種に対応付けて登録されたフォーム画像データに基づいて、用紙にフォーム画像を形成させるように制御する制御手段と、
を備える画像形成装置。
【請求項２】
前記登録手段は、前記用紙の紙種に対応する当該用紙のサイズに係る情報を登録し、
前記制御手段は、前記用紙のサイズに係る情報に基づいて、前記フォーム画像を変倍して用紙にフォーム画像を形成させる請求項１に記載の画像形成装置。
【請求項３】
外部機器とデータ通信可能に接続する通信手段を更に備え、
前記登録手段は、前記通信手段により前記外部機器から送信されるデータに基づいて前記用紙の紙種及び当該紙種に対応するフォーム画像データを登録する請求項１又は２に記載の画像形成装置。
【請求項４】
用紙に画像形成を行うための画像データを作成する画像処理装置において、
前記用紙の紙種及び当該紙種に対応するフォーム画像データを登録する登録手段と、
前記登録手段により登録された紙種で前記画像形成を行うための画像データを作成する際に、当該紙種に対応付けて登録されたフォーム画像データに基づいたフォーム画像を形成させる前記画像データを作成するように制御する制御手段と、
を備える画像処理装置。
【請求項５】
入力画像データに基づいて用紙に画像形成する画像形成装置のコンピュータを、
前記用紙の紙種及び当該紙種に対応するフォーム画像データを登録する登録手段、
前記入力画像データに基づいて前記登録手段により登録された紙種で画像形成する際に、当該紙種に対応付けて登録されたフォーム画像データに基づいて、用紙にフォーム画像を形成させるように制御する制御手段、
として機能させるプログラム。
【請求項６】
用紙に画像形成を行うための画像データを作成する画像処理装置のコンピュータを、
前記用紙の紙種及び当該紙種に対応するフォーム画像データを登録する登録手段、
前記登録手段により登録された紙種で前記画像形成を行うための画像データを作成する際に、当該紙種に対応付けて登録されたフォーム画像データに基づいたフォーム画像を形成させる前記画像データを作成するように制御する制御手段、
として機能させるプログラム。
【発明の詳細な説明】
【技術分野】
【０００１】
本発明は、画像形成装置、画像処理装置及びプログラムに関する。
【背景技術】
【０００２】
従来、記録媒体（以下、「用紙」という）上に画像形成を行う複写機やプリンタ又は複合機などの画像形成装置においては、予め記憶されたドキュメント（文書、画像、図形など）の雛形となるフォーム画像データの中からいずれかのフォーム画像データを選択し、その選択されたフォームデータと形成すべき画像データとを合成して画像形成するものが知られている。
【０００３】
具体的には、社章などを透かすためのフォーム画像データと文書データとを合成して業務文書に係る画像形成を行う業務用複合機などがある。例えば、特許文献１には、フォーム画像データに適した書式を設定し、選択されたフォーム画像データから各種設定を自動で行う技術が開示されている。
【特許文献１】特開２００３−２２３３０４号公報
【発明の開示】
【発明が解決しようとする課題】
【０００４】
しかしながら、上記従来技術では、特定の紙種に対しては特定のフォーム画像データで画像形成を行いたい場合、紙種の選択の他にフォーム画像データの選択も行う必要があるため不便であった。例えば、特定の色／斤量の用紙に合わせたフォーム画像データを予め作成しておいた場合、利用者は所望の用紙を選択した後にその選択した用紙に合わせて作成されたフォーム画像データを更に選択しなければならず、選択に手間取ることがあった。
【０００５】
本願発明の課題は、上記従来技術の問題に鑑みてなされたものであって、画像形成を行うフォーム画像データの選択の手間を省くことである。
【課題を解決するための手段】
【０００６】
上記課題を解決するために、請求項１に記載の発明は、入力画像データに基づいて用紙に画像形成する画像形成装置において、
前記用紙の紙種及び当該紙種に対応するフォーム画像データを登録する登録手段と、
前記入力画像データに基づいて前記登録手段により登録された紙種で画像形成する際に、当該紙種に対応付けて登録されたフォーム画像データに基づいて、用紙にフォーム画像を形成させるように制御する制御手段と、
を備える。
【０００７】
請求項２に記載の発明は、請求項１に記載の発明において、前記登録手段は、前記用紙の紙種に対応する当該用紙のサイズに係る情報を登録し、
前記制御手段は、前記用紙のサイズに係る情報に基づいて、前記フォーム画像を変倍して用紙にフォーム画像を形成させる。
【０００８】
請求項３に記載の発明は、請求項１又は２に記載の発明において、外部機器とデータ通信可能に接続する通信手段を更に備え、
前記登録手段は、前記通信手段により前記外部機器から送信されるデータに基づいて前記用紙の紙種及び当該紙種に対応するフォーム画像データを登録する。
【０００９】
請求項４に記載の発明は、用紙に画像形成を行うための画像データを作成する画像処理装置において、
前記用紙の紙種及び当該紙種に対応するフォーム画像データを登録する登録手段と、
前記登録手段により登録された紙種で前記画像形成を行うための画像データを作成する際に、当該紙種に対応付けて登録されたフォーム画像データに基づいたフォーム画像を形成させる前記画像データを作成するように制御する制御手段と、
を備える。
【００１０】
請求項５に記載の発明は、入力画像データに基づいて用紙に画像形成する画像形成装置のコンピュータを、
前記用紙の紙種及び当該紙種に対応するフォーム画像データを登録する登録手段、
前記入力画像データに基づいて前記登録手段により登録された紙種で画像形成する際に、当該紙種に対応付けて登録されたフォーム画像データに基づいて、用紙にフォーム画像を形成させるように制御する制御手段、
として機能させるプログラムである。
【００１１】
請求項６に記載の発明は、用紙に画像形成を行うための画像データを作成する画像処理装置のコンピュータを、
前記用紙の紙種及び当該紙種に対応するフォーム画像データを登録する登録手段、
前記登録手段により登録された紙種で前記画像形成を行うための画像データを作成する際に、当該紙種に対応付けて登録されたフォーム画像データに基づいたフォーム画像を形成させる前記画像データを作成するように制御する制御手段、
として機能させるプログラムである。
【発明の効果】
【００１２】
請求項１、４、５、６に記載の発明によれば、登録手段により登録された紙種で画像形成する際に、当該紙種に対応付けて登録されたフォーム画像データに基づいて、用紙にフォーム画像を形成させることができるため、画像形成を行うフォーム画像データの選択の手間を省くことができる。
【００１３】
請求項２に記載の発明によれば、紙種に対応する用紙サイズに係る情報に基づいて、フォーム画像を変倍して用紙にフォーム画像を形成することができる。
【００１４】
請求項３に記載の発明によれば、通信手段により外部機器から送信されるデータに基づいて用紙の紙種及び当該紙種に対応するフォーム画像データを登録することができる。
【発明を実施するための最良の形態】
【００１５】
以下、この発明の実施の形態について図を参照して説明するが、この発明は以下の実施の形態に限定しない。また、この発明の実施の形態は発明の最も好ましい形態を示すものであり、発明の範囲はこれに限定するものではない。
【００１６】
［第１の実施形態］
先ず、第１の実施形態に係る画像形成装置の内部構成について図１を参照して説明する。図１は、画像形成装置１の内部構成の概略を示している。図１に示すように、画像形成装置１は、画像読取部１０、画像形成部２０、搬送部９０を備えて構成される。
【００１７】
画像読取部１０は、自動原稿給紙装置１１、原稿画像走査装置１２等から構成されている。自動原稿給紙装置１１は、原稿台に載置された原稿ｄを搬送機構により搬送して原稿画像走査装置１２の方へ送り出し、原稿画像走査装置１２は搬送された原稿ｄを光走査し、センサＣＣＤにより光電変換して原稿画像を読み取る。
【００１８】
画像読取部１０により読み取られた原稿画像（アナログ画像信号）は、後述する画像処理部に出力され、画像処理部において、アナログ処理、Ａ／Ｄ変換処理、シェーディング補正、画像圧縮処理等の各種画像処理が施された後、Ｙ（イエロー）、Ｍ（マジェンダ）、Ｃ（シアン）、Ｋ（黒）の各色に色分解され、出力用画像データとして画像形成部２０の露光ユニット２Ｙ、２Ｍ、２Ｃ、２Ｋに出力される。
【００１９】
なお、自動原稿給紙装置１１は、原稿の両面を読み取るための搬送機構を有しており、原稿台から搬送される多数枚の原稿ｄの画像（両面含む）を連続して一挙に読み取ることが可能である。読み取られた原稿画像のデータは画像形成部２０内部の画像メモリに記憶され、出力時に順次出力用データとして読み出されて露光ユニット２Ｙ、２Ｍ、２Ｃ、２Ｋに出力されることとなる。この機能は、複写機能により多数枚の原稿画像を複写する場合、或いはファクシミリ機能により多数枚の原稿ｄのデータを送信する場合等に利用することができる。
【００２０】
画像形成部２０は、タンデム方式の画像形成を行うものであり、Ｙ、Ｍ、Ｃ、Ｋの色ごとに、主走査方向にライン状に配列した発光素子などである露光ユニット２Ｙ、２Ｍ、２Ｃ、２Ｋ、現像ユニット３Ｙ、３Ｍ、３Ｃ、３Ｋ、感光体である感光体ドラム４Ｙ、４Ｍ、４Ｃ、４Ｋ、一次転写ローラ７Ｙ、７Ｍ、７Ｃ、７Ｋ、中間転写ベルト８を備えている。感光体ドラム４Ｙ、４Ｍ、４Ｃ、４Ｋの周囲には、帯電を行う帯電部５Ｙ、５Ｍ、５Ｃ、５Ｋ、感光体ドラム４Ｙ、４Ｍ、４Ｃ、４Ｋ上の残存トナーを除去するクリーニング部６Ｙ、６Ｍ、６Ｃ、６Ｋが設けられている。
【００２１】
また、画像形成部２０は、中間転写ベルト８上に転写されたトナー画像を用紙上に転写する二次転写ローラ２１、用紙上の転写後のトナー画像を熱定着させる定着部２２を備えている。
【００２２】
中間転写ベルト８は、複数のローラにより巻回されて回動可能に支持されている。この中間転写ベルト８の面して、中間転写ベルト８上の残存トナーを除去するクリーニング部９が設けられている。
【００２３】
搬送部９０は、搬送用のローラ機構などにより、用紙トレイＴ１〜Ｔ３に載置された用紙を搬送経路に沿って各部へ搬送し、特に図示しない機外の排紙トレイへ排紙する機能部である。
【００２４】
具体的には、搬送部９０は、用紙トレイＴ１〜Ｔ３に載置された用紙の二次転写ローラ２１への搬送、二次転写ローラ２１でトナー画像を転写された後の用紙の定着部２２への搬送、定着部２２で熱定着された画像形成後の用紙の排紙トレイへの排紙を行う。また、搬送部９０は、用紙に対してエアーブローを行う送風機構を備えており、後述する記憶部８０に記憶された用紙ごとの設定情報に基づいて、搬送する用紙に対してエアーブローを行う。
【００２５】
以下、画像形成部２０による画像形成のプロセスについて説明する。
先ず、入力された出力用画像データに基づいて露光ユニット２Ｙにより露光が行われ、感光体ドラム４Ｙ上に出力画像の潜像画像が形成される。次いで、現像ユニット３Ｙにより感光体ドラム４Ｙ上にトナーが吹き付けられて現像が行われ、感光体ドラム４Ｙ上にトナー像が形成される。なお、現像は、使用するトナーの極性と同極性の直流電圧に交流電圧を重畳した現像バイアスが印可される反転現像にて行われる。
【００２６】
感光体ドラム４Ｙ上に形成されたトナー像は、使用トナーと反対極性の一次転写バイアスが印加される一次転写ローラ７Ｙにより、回動する中間転写ベルト８上に転写されて（これを一次転写という）、中間転写ベルト８上にＹのトナー像が形成される。このような処理がＭ、Ｃ、Ｋの各色について順次行われ、中間転写ベルト８上には各色のトナー像が合成されたカラー画像が形成されることとなる。
【００２７】
一方、搬送部９０は、用紙トレイＴ１〜Ｔ３に載置された用紙を二次転写ローラ２１へ搬送する。二次転写ローラ２１においては、中間転写ベルト８上に形成されたカラー画像が用紙の一方の面に一括して転写される（これを二次転写という）。カラー画像が転写された用紙は、搬送部９０により定着部２２へ搬送され、定着処理が施される。この定着処理が施された画像形成後の用紙は、搬送部９０により機外の排紙トレイ上に排紙される。
【００２８】
一画像分の画像形成サイクルを終えると、転写後の感光体ドラム４Ｙ、４Ｍ、４Ｃ、４Ｋ及び中間転写ベルト８上に残ったトナーは、クリーニング部６Ｙ、６Ｍ、６Ｃ、６Ｋ、９により除去され、次の画像の画像形成サイクルに移行する。
【００２９】
即ち、画像形成部２０における画像形成サイクルは、感光体ドラムに潜像画像を形成し、その潜像画像へトナーを付着させたトナー像を中間転写ベルトへ重ね合わせて転写する、いわゆる電子写真方式でカラー画像を形成するものである。なお、用紙への画像形成方式は、本実施の形態に例示する電子写真方式に限らず、インクジェット方式、熱昇華方式等、他のプリント方式を適用することとしても良い。
【００３０】
次に、画像形成装置１の制御系の構成について、図２を参照して説明する。図２は、画像形成装置１の機能的構成を模式的に示している。図２に示すように、画像形成装置１は、画像読取部１０、画像形成部２０、制御部４０、画像処理部４３、画像メモリ４４、操作部５０、表示部６０、通信部７０、記憶部８０、搬送部９０により構成されている。なお、画像読取部１０、画像形成部２０、搬送部９０については前述のとおりであるので、ここでの説明は省略する。
【００３１】
制御部４０は、特に図示しないＣＰＵ（Central  Processing  Unit）やＲＡＭ（Random  Access  Memory）、ＲＯＭ（Read  Only  Memory）などを備え、ＣＰＵにおいてＲＡＭの所定領域を作業領域とし、ＲＯＭや記憶部８０に記憶されている制御プログラムやアプリケーションプログラム、各種設定データを読み込んで順次実行することで、画像形成装置１の動作を統括制御する。
【００３２】
具体的には、制御部４０は、全体制御部４１、エンジン制御部４２としての機能を有する。全体制御部４１は、記憶部８０などに記憶される制御プログラムに従って各種演算を行うとともに、操作部５０、表示部６０、通信部７０等の各部の制御を行う。全体制御部４１は、操作部５０から入力される操作信号に基づいて画像形成に関する指示情報を生成し、エンジン制御部４２に出力する。
【００３３】
エンジン制御部４２は、画像読取部１０、画像形成部２０、画像処理部４３、画像メモリ４４、搬送部９０等の画像形成動作に係る各部を制御する機能部である、全体制御部４１から入力される制御情報に従って画像形成を統括的に制御する。
【００３４】
具体的には、エンジン制御部４２は、搬送部９０に制御信号を出力して用紙トレイＴ１〜Ｔ３に格納されている用紙を画像形成部２０へ搬送し、画像形成部２０に制御信号を出力して画像メモリ４４などに格納された画像データに基づく画像形成を制御する。そして、エンジン制御部４２は、搬送部９０に制御信号を出力して画像形成後の用紙を排紙トレイへ排紙させる。
【００３５】
画像処理部４３は、画像読取部１０から入力されるアナログ画像信号に各種処理を施してデジタル画像データを生成したり、画像メモリ４４に記憶されるデータに圧縮又は伸長処理を施す。また、エンジン制御部４２の指示に従って画像形成部２０で画像形成を行うための出力対象データに、回転／反転処理、階調処理、鮮鋭性調整処理等の各種画像処理を施す。
【００３６】
また、画像処理部４３は、二つの画像データの各画素をＸＯＲ演算などの公知の画像処理で重畳する合成処理により、一方の画像を所定の透明度で重ね合わせて合成するオーバーレイや、一方の画像を他方の画像に上書きして合成するオーバーライト等の画像処理を行う。
【００３７】
画像メモリ４４は、ＤＲＡＭ（Dynamic  RAM）等から構成され、画像読取部１０により読み取られた画像データや通信部７０を介して受信されたデータ等の出力対象データを記憶している。
【００３８】
操作部５０は、数字キーやスタートキー等の各種機能キー、表示部６０と一体に構成されるタッチパネル等を備えて構成されており、操作されたキーに対応する操作信号、タッチパネルでの入力操作に応じた操作信号を生成して全体制御部４１に出力する。
【００３９】
表示部６０は、ＬＣＤ（Liquid  Crystal  Display）等の表示ディスプレイから構成され、各種操作画面や全体制御部４１の処理結果、画像形成部２０における出力結果等の各種表示情報を表示する。
【００４０】
通信部７０は、ネットワークインターフェイスカードやＦＡＸモデム等の通信用インターフェイスを備え、他の画像形成装置やＰＣ（Personal  Computer）などの情報機器である端末１００と情報の送受信を行う。例えば、端末１００から出力対象のデータを受信したり、画像読取部１０により読み取った画像データを端末１００に送信することができる。
【００４１】
記憶部８０は、ＨＤＤ（Hard  Disk  Drive）や不揮発性メモリ等であり、制御部４０により実行される各種制御プログラムの他、各種設定情報や、プログラム処理の実行に必要なパラメータや各種データ、処理結果のデータ等を記憶している。また、記憶部８０は、用紙トレイＴ１〜Ｔ３ごとの設定情報、即ち、用紙トレイＴ１〜Ｔ３に格納される用紙ごとの設定情報を記憶する。
【００４２】
ここで、記憶部８０に記憶される用紙ごとの設定情報について、図３を参照して詳細に説明する。図３は、記憶部８０に記憶される用紙トレイ情報８１、用紙情報８２、フォーム情報８３とその繋がりを模式的に示している。
【００４３】
図３に示すように、記憶部８０は、用紙トレイ情報８１、用紙情報８２、フォーム情報８３を例えばユニークに割り当てられる「用紙名」や「フォームデータ名」により互いに参照可能に記憶している。
【００４４】
用紙トレイ情報８１は、用紙トレイＴ１〜Ｔ３ごとの設定情報、即ち、各用紙トレイに格納する用紙の紙種に関する情報を記憶する。具体的には、用紙トレイ情報８１は、用紙トレイに格納する用紙に関して、その用紙のサイズ（例えば「Ａ４」等）を示す「用紙サイズ」、用紙を指し示すユニークな名称（例えば「Ａ４標準紙」等）であり紙種を示す「用紙名」、用紙を搬送する際にエアーブローを行うか否かを示す「エアーブローＯＮ／ＯＦＦ」などの情報を用紙トレイごとに記憶する。
【００４５】
用紙情報８２は、用紙名ごとの設定情報、即ち、用紙名が示す紙種の詳細な情報を記憶する。具体的には、用紙情報８２は、用紙の種類（例えば「標準紙」等）を示す「用紙種類」、用紙の坪量（例えば「５０〜６１ｇ」等）を示す「坪量」、用紙の色（例えば、「白」等）を示す「紙色」、パンチ穴の有無を示す「パンチ穴」、用紙の両面に画像形成する際の調整量（例えば「表面に対して裏面に形成する画像を０．０２％縮小」等）を示す「表裏調整値」、用紙に形成するフォーム画像（例えば「社章」等）を識別する「フォームデータ名」などの情報を用紙名ごとに記憶する。
【００４６】
フォーム情報８３は、フォームデータ名ごとの設定情報、即ち、フォームデータ名で識別されるフォーム画像データの詳細な情報を記憶する。具体的には、フォーム情報８３は、フォーム画像データの取得方法（例えば「ローカル」、「ネットワーク」等）を示す「取得方法」、フォーム画像データが記憶されている場所（例えば「格納フォルダ名」、「ネットワークアドレス」等）を示す「アドレス」、フォーム画像データの画像サイズ（例えば「８００×６００」等）を示す「画像サイズ」、フォーム画像の用紙への形成位置（例えば「０，０」等）を示す「貼付位置」、その形成位置へ合わせるフォーム画像の座標（例えば「０，０」等）を示す「貼付基準位置」、フォーム画像の階調（例えば「２５６階調」等）を示す「階調数」、フォーム画像データのフォーマット形式（例えば「ＪＰＥＧ（Joint  Photographic  Experts  Group）」等」を示す「画像フォーマット」、フォーム画像データの圧縮（例えば「非圧縮」等）を示す「圧縮形式」、フォーム画像の解像度（例えば「６００ｄｐｉ」等）を示す「解像度」、用紙へのフォーム画像の形成方向（例えば「Ａ４縦置き」等）を示す「天地情報」、フォーム画像の変倍の可否を示す「変倍可否」、フォーム画像の変倍率（例えば「１．２倍」等）を示す「変倍率」、用紙に形成すべき画像とフォーム画像との重畳を透過するように行うか否かを示す「オーバーレイ」、オーバーレイする際のフォーム画像の透過率（例えば「薄い」等）を示す「濃度」などの情報をフォームデータ名ごとに記憶する。
【００４７】
記憶部８０に記憶される設定情報は、用紙トレイ情報８１、用紙情報８２、フォーム情報８３が「用紙名」や「フォームデータ名」などにより互いに参照可能であるため、用紙トレイＴ１〜Ｔ３のいずれかを選択した場合、即ち、用紙の紙種を選択した場合に当該紙種に対応するフォーム画像データやその詳細の取得が可能となっている。
【００４８】
ここで、制御部４０の制御の下、表示部６０に画面を表示して操作部５０からの操作指示により行われる、記憶部８０に記憶される設定情報の登録について図４〜図６を参照して説明する。図４は、表示部６０に表示される登録画面６１を例示している。図５は、表示部６０に表示されるフォームデータ登録画面６２を例示している。図６は、制御部４０が行う用紙条件登録処理をフローチャートで示している。
【００４９】
制御部４０は、記憶部８０に記憶された制御プログラムを実行することで、図４に示すような登録画面６１を表示部６０に表示させる。登録画面６１は、用紙トレイＴ１〜Ｔ３ごとの用紙に係る情報（用紙サイズや紙種等）を設定登録するための操作画面であり、用紙トレイ選択領域６１ａ、用紙トレイ情報表示領域６１ｂ、設定指示領域６１ｃを有する構成である。
【００５０】
用紙トレイ選択領域６１ａは、設定を行う用紙トレイＴ１〜Ｔ３を選択する表示領域であり、用紙トレイの選択を行うための選択ボタンＢ１１〜Ｂ１８が一覧表示される。この選択ボタンＢ１１〜Ｂ１８では、選択された用紙トレイは反転表示で示される。ユーザは、操作部５０から操作指示することで、選択ボタンＢ１１〜Ｂ１８の中の所望の用紙トレイを反転表示させて用紙トレイの選択を行うことができる。
【００５１】
用紙トレイ情報表示領域６１ｂは、用紙トレイ選択領域６１ａで選択された用紙トレイに対して設定された情報を表示する表示領域である。具体的には、前述した記憶部８０において互いに参照可能に記憶される用紙トレイ情報８１、用紙情報８２、フォーム情報８３により、用紙トレイ選択領域６１ａで選択された用紙トレイに係るフォーム画像データ（例えば「社章」等）や詳細情報（例えば「用紙サイズ」等）が取得され、用紙トレイ情報表示領域６１ｂに表示される。
【００５２】
設定指示領域６１ｃは、用紙トレイ選択領域６１ａで選択された用紙トレイに係る情報の設定登録を指示するための設定ボタンＢ２１〜Ｂ２６を表示する表示領域である。ユーザは、操作部５０から操作指示することで、設定ボタンＢ２１〜Ｂ２６のいずれかを選択して用紙トレイに係る情報の中で所望の項目に関する設定登録を行うことができる。
【００５３】
具体的には、設定ボタンＢ２１は、選択された用紙トレイの用紙サイズの設定登録を行うための指示ボタンである。設定ボタンＢ２２は、選択された用紙トレイの用紙を搬送する際にエアーブローを行うか否か等を設定するための指示ボタンである。設定ボタンＢ２３は、選択された用紙トレイの用紙を画像形成する際の表裏調整や倍率等を個別に設定変更するための指示ボタンである。設定ボタンＢ２４は、用紙情報８２において記憶されている複数の用紙名（例えば「Ａ４」、「Ａ３」…等）の中からいずれかの用紙名を指定し、その指定された用紙名に設定されている情報の呼び出すことで設定登録を行うための指示ボタンである。設定ボタンＢ２５は、他の設定ボタンで設定した内容で選択された用紙トレイに係る情報の設定登録を行うための指示ボタンである。設定ボタンＢ２６は、選択された用紙トレイの用紙に画像形成する際に形成すべきフォーム画像の設定登録を行うための指示ボタンである。
【００５４】
画像形成装置１は、制御部４０の制御の下、表示部６０に登録画面６１が表示された状態で、選択ボタンＢ１１〜Ｂ１８の中からいずれかの用紙トレイが選択されて、設定ボタンＢ２６によりフォーム登録が指示されることで、図５に示すようなフォームデータ登録画面６２が表示部６０に表示される。フォームデータ登録画面６２は、選択された用紙トレイに係るフォーム画像データを設定登録するための操作画面であり、個別設定選択領域６２ａ、詳細情報表示領域６２ｂを有する構成である。
【００５５】
個別設定選択領域６２ａには、選択された用紙トレイの設定項目を示す設定項目Ｂ３１〜Ｂ３６とその設定内容を示す設定情報Ｈ１〜Ｈ６が表示される。個別設定選択領域６２ａにおいて現在設定中の項目、即ち、設定項目Ｂ３６は反転表示される。また、設定情報Ｈ６には、詳細情報表示領域６２ｂで選択されたフォーム画像データである「社章」が表示される。
【００５６】
詳細情報表示領域６２ｂは、選択されたフォーム画像を表示する表示領域Ｈ１１、選択されたフォーム画像の詳細情報（例えば「フォームデータ名」、「取得方法」…等）を表示する表示領域Ｈ１２、フォーム情報８３においてフォームデータ名ごとに記憶されているフォーム画像に係る情報を順次読み出して選択するための指示ボタンＢ４１、Ｂ４２、選択されたフォーム画像を用紙トレイに設定登録するための指示ボタンＢ４３を有する。
【００５７】
即ち、詳細情報表示領域６２ｂにおいては、ユーザが操作部５０を介して指示ボタンＢ４１、Ｂ４２を操作することで、フォーム情報８３に記憶されているフォーム画像データの中から所望のフォーム画像データが選択される。そして、指示ボタンＢ４３の操作により、その選択されたフォーム画像データの「フォームデータ名」が用紙情報８２の「フォームデータ名」に関連付けられることで、選択された用紙トレイに対応するフォーム画像データが設定登録される。
【００５８】
なお、上述した記憶部８０に記憶される用紙トレイ情報８１、用紙情報８２、フォーム情報８３の設定登録については、表示部６０に設定画面を表示して操作部５０から入力される操作指示以外に、通信部７０を介して受信される端末１００からのデータに基づくものであってもよい。
【００５９】
ここで、制御部４０の制御の下、上述した指示ボタンＢ４１、４２の操作により選択されたフォーム画像データが指示ボタンＢ４３の操作によって用紙トレイに対応するフォーム画像データとして登録される際に行われる用紙条件登録処理について、詳細に説明する。
【００６０】
図６に示すように、指示ボタンＢ４３の操作により用紙条件登録処理が開始されると、用紙に対応するフォーム画像データの条件として指示ボタンＢ４１、Ｂ４２により選択された「フォームデータ名」の詳細情報（例えば「取得方法」、「アドレス」…等）がフォーム情報８３に記憶されているか否かが判定され（ステップＳ１１）、記憶されていない場合（ＮＯ）はそのまま終了する。
【００６１】
選択された「フォームデータ名」の詳細情報がフォーム情報８３に記憶されている場合は、その詳細情報がフォーム情報８３から取得されるとともに、選択された用紙トレイに係る情報が用紙トレイ情報８１、８２から取得され、その取得された情報に基づいてフォーム画像の貼付位置が用紙の全面に対して行われるか否かが判定される（ステップＳ１２）。具体的には、このステップＳ１２では、用紙トレイ情報８１の用紙トレイに対応して設定された「用紙サイズ」、フォーム情報８３の「フォームデータ名」に対応して設定された「画像サイズ」、「貼付位置」、「貼付基準位置」等のデータに基づいて、用紙の全面にフォーム画像を貼り付けるか否かの判定が行われる。
【００６２】
ステップＳ１２においてフォーム画像の貼付位置が用紙の全面でないと判定された場合（ＮＯ）は、ステップＳ１２と同様に用紙トレイ情報８１、用紙情報８２、フォーム情報８３から取得された情報に基づいて、用紙からフォーム画像がはみ出すか否かが判定される（ステップＳ１３）。
【００６３】
ステップＳ１２においてフォーム画像の貼付位置が用紙の全面であると判定された場合（ＹＥＳ）や、ステップＳ１３において用紙からフォーム画像がはみ出すと判定された場合（ＹＥＳ）は、フォーム情報８３の「フォームデータ名」に対応して設定された「変倍可否」に基づいて、フォーム画像の変倍が可能であるか否かが判定される（ステップＳ１４）。
【００６４】
ステップＳ１３において用紙からフォーム画像がはみ出さないと判定された場合（ＮＯ）や、ステップＳ１４において変倍可能であると判定された場合（ＹＥＳ）は、選択されたフォーム画像データの「フォームデータ名」が用紙情報８２の「フォームデータ名」に関連付けられることで、用紙トレイに係るフォーム画像データが設定登録され（ステップＳ１５）、終了する。
【００６５】
なお、ステップＳ１４においてフォーム画像の変倍ができないと判定された場合（ＮＯ）は、選択されたフォーム画像データを用紙トレイに係るフォーム画像データとして設定登録することが出来ない旨の警告が表示部６０に表示され（ステップＳ１６）、終了する。
【００６６】
即ち、画像形成装置１では、指示ボタンＢ４３の操作により上述した用紙条件登録処理が行われることで、用紙からはみ出すことなく画像形成することができるフォーム画像のみを設定登録することができる。
【００６７】
次に、制御部４０の制御の下、操作部５０からの操作指示や端末１００からの画像形成指示に基づいて行われる画像形成処理について、図７〜図１０を参照して詳細に説明する。
【００６８】
図７は、制御部４０が行う画像形成処理をフローチャートで示している。図８は、制御部４０が行うフォーム画像作成処理をフローチャートで示している。図９（ａ）は、フォーム画像Ｆ１を変倍して画像Ｇ１に合成する画像処理を示しており、図９（ｂ）は、画像Ｇ２のサイズに応じてフォーム画像Ｆ２を変倍して合成する画像処理を示しており、図９（ｃ）は、フォーム画像Ｆ３を等倍で画像Ｇ３に合成する画像処理を示している。図１０は、制御部４０が行う合成処理をフローチャートで示している。
【００６９】
図７に示すように、画像形成処理が開始されると、操作部５０からの操作指示や通信部７０を介して端末１００から受信される情報などから用紙への画像形成に必要な画像形成情報が取得される（ステップＳ２１）。
【００７０】
この画像形成情報とは、用紙に画像形成すべき画像データ、用紙トレイＴ１〜Ｔ３のいずれの用紙で画像形成を行うかなどの用紙を指定する指示情報、両面印刷や変倍等の指示情報などである。例えば、操作部５０の指示に基づいて画像読取部１０で読み取られた原稿のコピーが行われる場合は、読み取られた原稿の画像データや、操作部５０による用紙トレイＴ１〜Ｔ３の選択指示、変倍／後処理などの指示が画像形成情報として取得される。また、端末１００から受信される情報に基づいて画像形成が行われる場合は、受信される画像形成すべき画像データ、その画像を形成する用紙の選択指示が画像形成情報として取得される。
【００７１】
次いで、取得された画像形成情報に基づいてフォーム画像を形成するフォームプリントを行うか、又は、変倍や両面印刷などの他の機能を用いた画像形成を行うか等の機能判定が行われる（ステップＳ２２）。このステップＳ２２において、フォームプリントを行うか否かの判定は、画像形成情報に含まれる用紙を指定する指示情報に基づいて用紙トレイ情報８１、用紙情報８２、フォーム情報８３が参照され、その指定された用紙に対応するフォーム画像データが設定されているか否かに基づいて行われる。
【００７２】
ステップＳ２２において他の機能を用いた画像形成を行うと判定された場合は、その指示された機能を実現するための画像処理（例えば変倍等）が画像形成すべき画像データに対して行われる（ステップＳ２３）。
【００７３】
ステップＳ２２においてフォームプリントを行うと判定された場合、即ち、画像形成情報に含まれる用紙を指定する指示情報に基づいて用紙トレイ情報８１、用紙情報８２、フォーム情報８３が参照されて指定された用紙に対応するフォーム画像データが設定されている場合は、その設定されているフォーム画像データが取得され（ステップＳ２４）、フォーム画像データの取得が行われたか否かが判定されて（ステップＳ２５）、取得されなかった場合は表示部６０にエラー表示される（ステップＳ２６）。
【００７４】
ステップＳ２５においてフォーム画像データの取得が行われたと判定された場合（ＹＥＳ）は、指定された用紙にフォーム画像を形成するための画像データを作成するフォーム画像形成処理が行われ（ステップＳ２７）、画像形成すべき画像データにそのフォーム画像形成処理で作成された画像データを合成するための合成処理が行われる（ステップＳ２８）。
【００７５】
上述したステップＳ２１〜ステップＳ２８の処理を経た後、用紙トレイＴ１〜Ｔ３の中で指示された用紙トレイから用紙が搬送部９０により画像形成部２０に搬送され、画像形成すべき画像データに基づいた画像形成、即ち、ステップＳ２７、Ｓ２８によりフォーム画像が合成された画像データやステップＳ２３により画像処理が行われた画像データに基づいた画像形成が行われて（ステップＳ２９）、終了する。
【００７６】
ここで、フォーム画像形成処理（ステップＳ２７）の詳細について説明する。図８に示すように、フォーム画像形成処理が開始されると、指定された用紙に対応するフォーム画像データがフォーム情報８３の「取得方法」や「アドレス」などに基づいて読み込まれ（ステップＳ２７１）、その読み込まれたフォーム画像データを格納するための領域が画像メモリ４４で取得されて（ステップＳ２７２）、読み込まれたフォーム画像データが格納される。
【００７７】
次いで、画像メモリ４４に格納されたフォーム画像データに対して、用紙トレイ情報８１、用紙情報８２、フォーム情報８３に設定された情報に基づいた変倍・回転・トリミング等の画像処理が施され（ステップＳ２７３）、その画像処理後のフォーム画像データが画像メモリ４４に展開されて（ステップＳ２７４）、終了する。
【００７８】
このステップＳ２７３においてフォーム画像データに対して行われる変倍・回転・トリミング等の画像処理は、フォーム画像を用紙の所定位置に形成するための画像処理であり、具体的には図９に示すとおりである。
【００７９】
例えば、用紙上に４００字詰め原稿用紙の罫線を形成するため、「貼付位置」が用紙の罫線開始位置に、「貼付基準位置」がフォーム画像の原点に、「変倍率」が１．７倍に設定されたフォーム画像データ等は、図９（ａ）に示すように、フォーム画像Ｆ１が設定された変倍率（１．７倍）に変倍され、そのフォーム画像Ｆ１の原点である基準位置Ｋ１が用紙に画像形成すべき画像Ｇ１の罫線開始位置である貼付位置Ｐ１へ合成されるようにトリミングされる。
【００８０】
また、用紙上に複製不可などの透かし文字を形成するため、「貼付位置」と「貼付基準位置」が原点に、「変倍率」が用紙サイズまで拡大するように設定されたフォーム画像データ等は、図９（ｂ）に示すように、フォーム画像Ｆ２が用紙サイズに応じて変倍され、そのフォーム画像Ｆ２の原点である基準位置Ｋ２が用紙に形成すべき画像Ｇ２の原点である貼付位置Ｐ２へ合成されるようにトリミングされる。
【００８１】
また、用紙上の所定位置に印影や社章を形成するため、「貼付位置と「貼付基準位置」が原点に、「変倍率」が０又は「変倍可否」が不可に設定されたフォーム画像データ等は、図９（ｃ）に示すように、フォーム画像Ｆ３が等倍のままで、フォーム画像Ｆ３の原点である基準位置Ｋ３が用紙に形成すべき画像Ｇ３の原点である貼付位置Ｐ３へ合成されるようにトリミングされる。
【００８２】
ここで、合成処理（ステップＳ２８）の詳細について説明する。図１０に示すように、合成処理が開始されると、前述した画像形成情報が取得され（ステップＳ２８１）、その取得された画像形成情報に含まれる用紙に画像形成すべき画像データを格納するための領域が画像メモリ４４で取得されて（ステップＳ２８２）、当該画像形成すべき画像データが格納される。
【００８３】
次いで、画像メモリ４４に格納された画像データに対して、指定された用紙に合わせた回転・トリミング等の画像処理が施され（ステップＳ２８３）、その画像処理後の画像データが画像メモリ４４に展開される（ステップＳ２８４）。
【００８４】
次いで、前述したフォーム画像作成処理で画像メモリ４４に展開された画像処理後のフォーム画像データが取得され（ステップＳ２８５）、そのフォーム画像データの「天地情報」と画像形成情報で指定された用紙の向き（例えば「Ａ４縦」又は「Ａ４横」等）などに基づいて、その取得されたフォーム画像の向きが天地不整合であるか否かが判定される（ステップＳ２８６）。
【００８５】
ステップＳ２８６において天地不整合であると判定された場合（ＹＥＳ）は、その旨の警告が表示部６０に表示されて（ステップＳ２８７）終了する。
【００８６】
ステップＳ２８６において天地不整後でないと判定された場合（ＮＯ）は、ステップＳ２８４で画像メモリ４４に展開された画像形成すべき画像データに取得されたフォーム画像データを合成する合成処理が行われて（ステップＳ２８８）終了する。
【００８７】
以上のように、画像形成装置１は、操作部５０からの操作指示と表示部６０に表示される設定登録画面とにより記憶部８０に記憶される用紙トレイ情報８１、用紙情報８２、フォーム情報８３を関連付けて、用紙の紙種及び紙種に対応するフォーム画像データを登録する登録手段と、画像形成すべき画像データ（入力画像データ）に基づいて登録手段により登録された紙種で画像形成する際に、当該紙種に対応付けて登録されたフォーム画像データに基づいて、用紙にフォーム画像を形成させるように制御する制御手段である制御部４０と、を備える構成である。
【００８８】
このため、画像形成装置１は、画像形成を行う際に、紙種を選択するだけでその紙種に対応付けられたフォーム画像データに基づいたフォーム画像を用紙に形成することができ、画像形成を行うフォーム画像データの選択の手間を省くことができる。
【００８９】
また、画像形成装置１は、操作部５０からの操作指示と表示部６０に表示される設定登録画面とにより紙種に対応する用紙サイズを用紙トレイ情報８１に登録し、制御部４０ではフォーム画像を形成させるように制御する際に、その用紙サイズに基づいてフォーム画像を変倍する構成である。このため、画像形成装置１は、紙種に対応する用紙サイズに基づいて、フォーム画像を変倍して用紙にフォーム画像を形成することができる。
【００９０】
また、画像形成装置１は、通信部７０により端末１００から送信されるデータを受信することで、用紙の紙種及び当該紙種に対応するフォーム画像データを登録することができる。
【００９１】
［第２の実施形態］
次に、第２の実施形態に係る画像処理装置について図１１を参照して説明する。なお、以降の説明において、前述した第１の実施形態と同一の構成や処理については同一の符号を付して説明を省略する。
【００９２】
図１１は、画像処理装置２の機能的構成を模式的に示している。図１１に示すように、画像処理装置２は、例えばＰＣやＷＳ（Work  Station）等の情報機器であり、制御部２０１、表示部２０２、操作部２０３、記憶部２０４、通信部２０５を備え、各部はバス２０６を介して接続されている。
【００９３】
制御部２０１は、ＣＰＵ、ＲＯＭ、ＲＡＭなどを備えている。制御部２０１では、ＣＰＵにおいてＲＡＭの所定領域を作業領域とし、ＲＯＭや記憶部２０４に記憶されている制御プログラムやアプリケーションプログラム、各種設定データを読み込んで順次実行することで、画像処理装置２の動作を統括制御する。
【００９４】
表示部２０２は、ＬＣＤ等の表示ディスプレイから構成され、制御部２０１の制御の下、各種操作画面や制御部２０１の処理結果等の各種表示情報を表示する。
【００９５】
操作部２０３は、数字キー、文字キー、機能キーなどの各種キーや、マウス、タッチパネル等のポインティングデバイスを含んで構成され、操作されたキーに対応する操作信号、ポインティングデバイスでの入力操作に応じた操作信号を生成して制御部２０１に出力する。
【００９６】
記憶部２０４は、ＨＤＤや不揮発性メモリ等であり、制御部２０１により実行される各種制御プログラムの他、各種設定情報や、プログラム処理の実行に必要なパラメータや各種データ、処理結果のデータ等を記憶している。また、記憶部２０４は、前述した記憶部８０に記憶される用紙トレイ情報８１、用紙情報８２、フォーム情報８３と同一のデータを記憶している。
【００９７】
通信部２０５は、ネットワークインターフェイスカードやＦＡＸモデム等の通信用インターフェイスを備え、前述した画像形成装置１や他のＰＣなどの情報機器とデータの送受信を行う。例えば、画像処理装置２は、通信部２０５を介して前述した画像形成情報を画像形成装置１に送信することで、画像形成装置１において用紙を指定した画像形成を実行させることができる。
【００９８】
画像処理装置２は、制御部２０１が記憶部２０４に記憶された制御プログラムを実行することで、前述した登録画面６１、フォームデータ登録画面６２を表示部２０２に表示させ、操作部２０３からの操作指示を受け付けて、記憶部２０４に記憶する用紙トレイ情報８１、用紙情報８２、フォーム情報８３の設定登録を第１の実施形態と同様に行う。
【００９９】
また、画像処理装置２は、上述した設定登録時において第１の実施形態と同様の用紙条件登録処理を行うことで、画像形成装置１に画像形成情報を送信して用紙に画像形成させる場合において、当該用紙からはみ出すこなく画像形成することができるフォーム画像のみを設定登録することができる。
【０１００】
また、画像処理装置２は、制御部２０１が記憶部２０４に記憶された制御プログラム、具体的にはプリンタドライバ等のプログラムを実行することで、通信部２０５を介して接続する画像形成装置１で画像形成を行うための画像形成情報を作成し、当該画像形成装置１に送信する。画像形成装置１は、画像処理装置２から送信された画像形成情報に基づいて用紙に画像形成を行う。
【０１０１】
この制御部２０１が実行する画像形成情報を作成する処理は、第１の実施形態における画像形成処理のステップＳ２１〜Ｓ２８までと同一である。このため、画像処理装置２は、画像形成装置１において操作部２０３の指示に基づいた用紙（紙種）へ画像形成するための画像データを含む画像形成情報を作成することができる。また、フォーム画像が設定登録された用紙へ画像形成するための画像データを作成する際には、ステップＳ２４〜Ｓ２８の処理が行われることで、その用紙に対応付けて登録されたフォーム画像を形成する画像データを作成させることができる。
【０１０２】
以上のように、画像処理装置２は、操作部２０３からの操作指示と表示部２０２に表示される設定登録画面とにより記憶部２０４に記憶される用紙トレイ情報８１、用紙情報８２、フォーム情報８３を関連付けて、用紙の紙種及び紙種に対応するフォーム画像データを登録する登録手段と、その登録された紙種で画像形成を行うための画像データを作成する際に、当該紙種に対応付けて登録されたフォーム画像データに基づいて、フォーム画像を形成させる画像データを作成するように制御する制御手段である制御部２０１と、を備える構成である。
【０１０３】
このため、画像処理装置２は、画像形成装置１などで画像形成を行うための画像データを作成する際に、画像形成を行う紙種を選択するだけで、その紙種に対応付けられたフォーム画像データに基づいたフォーム画像を形成させる画像データを作成することができ、フォーム画像データの選択の手間を省くことができる。
【０１０４】
なお、上述した実施の形態における記述は、一例を示すものであり、これに限定するものではない。上述した実施の形態における構成及び動作に関しては、適宜変更が可能である。
【図面の簡単な説明】
【０１０５】
【図１】第１の実施形態に係る画像形成装置の内部構成を示す概念図である。
【図２】画像形成装置の機能的構成を模式的に示すブロック図である。
【図３】記憶部に記憶されている情報の繋がりを模式的に示す概念図である。
【図４】表示部に表示される登録画面を例示する概念図である。
【図５】表示部に表示されるフォームデータ登録画面を例示する概念図である。
【図６】画像形成装置における用紙条件登録処理を例示するフローチャートである。
【図７】画像形成装置における画像形成処理を例示するフローチャートである。
【図８】画像形成装置におけるフォーム画像作成処理を例示するフローチャートである。
【図９】画像形成装置におけるフォーム画像の画像処理とその貼付を例示する図であり、（ａ）は、フォーム画像を変倍して貼り付ける様子を例示する図であり、（ｂ）は、用紙サイズに応じてフォーム画像を変倍して貼り付ける様子を例示する図であり、（ｃ）は、フォーム画像を等倍で貼り付ける様子を例示する図である。
【図１０】画像形成装置における合成処理を例示するフローチャートである。
【図１１】第２の実施形態に係る画像処理装置の機能的構成を模式的に示すブロック図である。
【符号の説明】
【０１０６】
１  画像形成装置
２  画像処理装置
２Ｙ、２Ｍ、２Ｃ、２Ｋ  露光ユニット
３Ｙ、３Ｍ、３Ｃ、３Ｋ  現像ユニット
４Ｙ、４Ｍ、４Ｃ、４Ｋ  感光体ドラム
５Ｙ、５Ｍ、５Ｃ、５Ｋ  帯電部
６Ｙ、６Ｍ、６Ｃ、６Ｋ  クリーニング部
７Ｙ、７Ｍ、７Ｃ、７Ｋ  一次転写ローラ
８  中間転写ベルト
９  クリーニング部
１０  画像読取部
１１  自動原稿給紙装置
１２  原稿画像走査装置
２０  画像形成部
２１  二次転写ローラ
２２  定着部
４０  制御部
４１  全体制御部
４２  エンジン制御部
４３  画像処理部
４４  画像メモリ
５０  操作部
６０  表示部
６１  登録画面
６１ａ  用紙トレイ選択領域
６１ｂ  用紙トレイ情報表示領域
６１ｃ  設定指示領域
６２  フォームデータ登録画面
６２ａ  個別設定選択領域
６２ｂ  詳細情報表示領域
７０  通信部
８０  記憶部
８１  用紙トレイ情報
８２  用紙情報
８３  フォーム情報
９０  搬送部
１００  端末
２０１  制御部
２０２  表示部
２０３  操作部
２０４  記憶部
２０５  通信部
２０６  バス
ｄ  原稿
Ｂ１１〜Ｂ１８  選択ボタン
Ｂ２１〜Ｂ２６  設定ボタン
Ｂ３１〜Ｂ３６  設定項目
Ｂ４１〜Ｂ４３  指示ボタン
ＣＣＤ  センサ
Ｆ１〜Ｆ３  フォーム画像
Ｇ１〜Ｇ３  画像
Ｈ１〜｜Ｈ６  設定情報
Ｈ１１、Ｈ１２  表示領域
Ｋ１〜Ｋ３  基準位置
Ｐ１〜Ｐ３  貼付位置
Ｔ１〜Ｔ３  用紙トレイ
【図１】
2008290368.tif 000003
【図２】
2008290368.tif 000004
【図３】
2008290368.tif 000005
【図４】
2008290368.tif 000006
【図５】
2008290368.tif 000007
【図６】
2008290368.tif 000008
【図７】
2008290368.tif 000009
【図８】
2008290368.tif 000010
【図９】
2008290368.tif 000011
【図１０】
2008290368.tif 000012
【図１１】
2008290368.tif 000013